(57)【要約】【課題】  搭載されるモジュールの消費電力による発熱を効率よく放熱可能なピックアップユニットを提供する。【解決手段】  ディスク(光ディスク)１に情報の光書き込みを行い、またディスク１から情報を読み取るピックアップユニット２は、キャリッジ３とアクチュエータベース４を備えており、放熱手段として、キャリッジ３の上面に、ディスク１の接線方向に形成された複数のフィン(直線状フィン)５を設けている。【選択図】  図１
2005092905.tif 000002
【特許請求の範囲】
【請求項１】
キャリッジ及びアクチュエータベースを備えたピックアップユニットにおいて、キャリッジは放熱手段を有することを特徴とするピックアップユニット。
【請求項２】
放熱手段はキャリッジ上面に設けられた複数のフィンであることを特徴とする請求項１記載のピックアップユニット。
【請求項３】
複数のフィンはディスクの接線方向に形成されていることを特徴とする請求項２記載のピックアップユニット。
【請求項４】
複数のフィンはディスクの円周方向に形成されていることを特徴とする請求項２記載のピックアップユニット。
【請求項５】
放熱手段はアクチュエータベース上面に設けられた複数のフィンであることを特徴とする請求項１記載のピックアップユニット。
【請求項６】
複数のフィンはディスクの接線方向に形成されていることを特徴とする請求項５記載のピックアップユニット。
【請求項７】
複数のフィンはディスクの円周方向に形成されていることを特徴とする請求項５記載のピックアップユニット。
【請求項８】
請求項１または５記載のピックアップユニットが搭載された光ディスク装置。
【発明の詳細な説明】
【技術分野】
【０００１】
本発明は、ピックアップユニット及び光ディスク装置に関する。
【背景技術】
【０００２】
高速記録再生のためのピックアップユニットは、基本的に消費電力が増加する傾向にある。実際の製品設計時には環境問題等も考慮して省力化を目指すことは当然としても、この努力とは別に実際の必要仕様からは電力増加対応は必要なことである。この理由は以下のとおりである。
第一に、高速記録再生の場合にメディアに十分なエネルギ密度を収束させるには、ピックアップ上に従来装置よりもハイパワーの光源を必要とし、またＳＮ上の理由で同様にピックアップ上に搭載する制御用ドライバＩＣのパワーも増大してしまう。
第二に、高速記録再生時にはメディアが高速回転しているため、その面ぶれや偏芯の加速度が低速時よりも増大する。剛体の力学原理上は加速度が周波数の２乗に比例して増大するために、これに追従するアクチュエータの消費電力が増大する。
【発明の開示】
【発明が解決しようとする課題】
【０００３】
このために記録再生品質やメディア追従能力を犠牲にしない限りピックアップ上のモジュールの消費電力増大は避けられないことになる。ところがピックアップはそれ自体が可動体でもあるがゆえに、質量や容積や寸法に制限があり、結果的に放熱性や耐熱性を画期的に向上させることは困難である。
しかるに、製品は高機能なものを安く提供するためのコストダウンも欠かせないため、例えば高価な光学部品を成型樹脂材料部品でまかなうことも必要になる。このことはアクチュエータの可動部質量の低減効果を生じることになり、アクチュエータの感度増加により消費電力を低下させる効果も期待できる。しかし樹脂レンズはガラスと比較して耐熱性が低いためピックアップ上のアクチュエータ可動部に搭載するものとしては熱対策が厳しくなる。
またアクチュエータ可動部のモータコイルによる発熱は、同様に可動部に搭載されるレンズにとって避け得ないものであるとしても、ピックアップ全体で熱対策を考慮しないと今後のさらなる高速化への対応が困難である。
本発明は、搭載されるモジュールの消費電力による発熱を効率よく放熱可能なピックアップユニット及び光ディスク装置を提供することを目的とする。
【課題を解決するための手段】
【０００４】
上記目的を達成するために、請求項１記載の発明では、キャリッジ及びアクチュエータベースを備えたピックアップユニットにおいて、キャリッジは放熱手段を有するピックアップユニットを最も主要な特徴とする。
請求項２記載の発明では、放熱手段はキャリッジ上面に設けられた複数のフィンである請求項１記載のピックアップユニットを主要な特徴とする。
請求項３記載の発明では、複数のフィンはディスクの接線方向に形成されている請求項２記載のピックアップユニットを主要な特徴とする。
請求項４記載の発明では、複数のフィンはディスクの円周方向に形成されている請求項２記載のピックアップユニットを主要な特徴とする。
請求項５記載の発明では、放熱手段はアクチュエータベース上面に設けられた複数のフィンである請求項１記載のピックアップユニットを主要な特徴とする。
請求項６記載の発明では、複数のフィンはディスクの接線方向に形成されている請求項５記載のピックアップユニットを主要な特徴とする。
請求項７記載の発明では、複数のフィンはディスクの円周方向に形成されている請求項５記載のピックアップユニットを主要な特徴とする。
請求項８記載の発明では、請求項１または５記載のピックアップユニットが搭載された光ディスク装置を最も主要な特徴とする。
【発明の効果】
【０００５】
本発明によれば、キャリッジあるいはアクチュエータベースに放熱用の複数のフィンを設けたので、ピックアップユニットの放熱を効率よく行うことができる。
【発明を実施するための最良の形態】
【０００６】
以下、本発明の実施の形態を図面に従って説明する。
図１（ａ）及び（ｂ）は本発明の第１の実施形態に係る光ディスク装置のピックアップユニットの上面図である。ディスク(光ディスク)１に情報の光書き込みを行い、またディスク１から情報を読み取るピックアップユニット２は、キャリッジ３とアクチュエータベース４を備えている。
本実施形態では、放熱手段として、キャリッジ３の上面に、ディスク１の接線方向に形成された複数のフィン(直線状フィン)５を設けている。アクチュエータベース４の上にフィン５を形成してもよい。
本発明では、キャリッジあるいはアクチュエータベースに放熱用の複数のフィンを設けたので、ピックアップユニットの放熱を効率よく行うことができる。
フィン５は、直線状に延びる平面形状であっても良いし、ディスクの円周方向へ延びる形状であってもよい。直線状のフィンの場合、延びる方向へディスク外周縁の接線方向としてもよい。
図２は本発明の第２の実施形態に係る光ディスク装置のピックアップユニットの上面図である。本実施形態では、ディスク１の内周部と外周部の２ヶ所にピックアップユニット２があり、それぞれのキャリッジ３の上面に、ディスク１の円周方向に形成された複数のフィン(円弧状フィン)６を設けている。もちろん図１の如き直線状フィン５であってもよい。
図３は本発明の第３の実施形態に係る光ディスク装置のピックアップユニットの上面図である。本実施形態では、ディスク１の内周部と外周部の２ヶ所にピックアップユニット２があり、内側のピックアップユニット２のアクチュエータベース４には複数の直線状フィン５を設け、外側のピックアップユニット２のアクチュエータベース４には複数の円弧状フィン６を設けている。両アクチュエータベース４とも直線状フィン５でもよいし、逆に円弧状フィン６でもよい。
【図面の簡単な説明】
【０００７】
【図１】本発明の第１の実施形態に係る光ディスク装置のピックアップユニットの上面図である。
【図２】本発明の第２の実施形態に係る光ディスク装置のピックアップユニットの上面図である。
【図３】本発明の第３の実施形態に係る光ディスク装置のピックアップユニットの上面図である。
【符号の説明】
【０００８】
１  ディスク、２  ピックアップユニット、３  キャリッジ、４  アクチュエータベース、５  フィン
【図１】
2005092905.tif 000003
【図２】
2005092905.tif 000004
【図３】
2005092905.tif 000005